【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
神経の組織部位で欠陥部に減圧をかける装置であって、当該装置が、
前記組織部位と内腔壁との間の内腔空間内に流体を含むよう前記組織部位を囲む内腔壁を有するほぼ管状の形状を有する神経導管と、
多孔体と減圧を受けるためのコネクタとを有し、減圧を前記欠陥部に分配するために前記組織部位の近くの前記内腔空間内に配置されたマニホルドとを具える含むことを特徴とする装置。
【請求項２】
請求項１に記載の装置において、前記欠陥部が切断された、部分的に切断された、挟まれた、または変質した神経であることを特徴とする装置。
【請求項３】
請求項１に記載の装置において、前記マニホルドが、前記組織部位に対する神経の遠位側に配置されることを特徴とする装置。
【請求項４】
請求項１に記載の装置において、前記マニホルドが、前記組織部位に対する神経の遠位側に減圧をかけることを特徴とする装置。
【請求項５】
請求項１に記載の装置において、前記マニホルドが、生体不活性材料からなることを特徴とする装置。
【請求項６】
請求項１に記載の装置において、前記マニホルドが、生体吸収性材料からなることを特徴とする装置。
【請求項７】
請求項１に記載の装置において、前記マニホルドの一部が、組織の成長を実現させる足場材料を含むことを特徴とする装置。
【請求項８】
請求項７に記載の装置において、前記足場材料が、発泡体またはゲル材料から形成されることを特徴とする装置。
【請求項９】
請求項７に記載の装置において、前記足場材料が、フィブリンまたはコラーゲンから選択される生物学的材料であることを特徴とする装置。
【請求項１０】
請求項７に記載の装置において、前記足場材料が、生物活性剤を含むことを特徴とする装置。
【請求項１１】
請求項１０に記載の装置において、前記生物活性剤が、抗生物質、抗体および成長因子のうちの少なくとも１を含むことを特徴とする装置。
【請求項１２】
請求項１１に記載の装置において、前記生物活性剤が、成長ホルモン（ＧＨ）、骨形成タンパク質（ＢＭＰ）、トランスホーミング増殖因子−α（ＴＧＦ−α）、ＴＧＦ−β、繊維芽細胞成長因子（ＦＧＦ）、顆粒粒コロニー刺激因子（Ｇ−ＣＦＳ)、顆粒粒／マクロファージコロニー刺激因子（ＧＭ−ＣＦＳ）、上皮増殖因子（ＥＧＦ）、血小板由来成長因子（ＰＤＧＦ）、インスリン様成長因子（ＩＧＦ）、血管内皮成長因子（ＶＥＧＦ）、幹細胞増殖因子／散乱係数（ＨＧＦ／ＳＦ）、インターロイキン、腫瘍壊死因子−α（ＴＮＦ−α）または神経成長因子（ＮＧＦ）であることを特徴とする装置。
【請求項１３】
請求項１に記載の装置において、前記マニホルドが、前記内腔空間を通り概ね軸方向に延在する縦軸を有する円筒形状であることを特徴とする装置。
【請求項１４】
請求項１３に記載の装置において、前記欠陥部が切断された端部を有する切断された神経であり、前記切断された端部間に前記マニホルドが配置されていることを特徴とする装置。
【請求項１５】
請求項１４に記載の装置において、前記マニホルドが端面を有し、さらに前記マニホルドの端面の１に流体連結している第１の端部と、前記内腔空間から延在している第２の端部とを有する少なくとも１のマニホルドロッドを含むことを特徴とする装置。
【請求項１６】
請求項１５に記載の装置において、前記マニホルドが、１の端面からのみ延在する少なくとも１のマニホルドロッドを含むことを特徴とする装置。
【請求項１７】
請求項１５に記載の装置において、前記少なくとも１のマニホルドロッドが、生体吸収性材料からなることを特徴とする装置。
【請求項１８】
請求項１５に記載の装置において、前記少なくとも１のマニホルドロッドが、組織の成長を実現させる足場材料を含むことを特徴とする装置。
【請求項１９】
請求項１５に記載の装置において、前記少なくとも１のマニホルドが、前記内腔空間と流体連通している多孔性壁を有する管状であることを特徴とする装置。
【請求項２０】
請求項１３に記載の装置において、前記マニホルドが、端面を有し、さらに前記マニホルドの縦軸に沿って前記端面間に延在する開口を含むことを特徴とする装置。
【請求項２１】
請求項２０に記載の装置において、前記欠陥部が、前記マニホルドの開口を通して延在する挟まれた神経であることを特徴とする装置。
【請求項２２】
請求項２１に記載の装置において、前記マニホルドがさらに、前記マニホルドの端面の１に流体連結される第１の端部と、前記内腔空間内から延在する第２の端部とを有する少なくとも１のマニホルドロッドを含むことを特徴とする装置。
【請求項２３】
請求項２２に記載の装置において、前記マニホルドが、前記１端面からのみ延在する少なくとも１のマニホルドロッドを含むことを特徴とする装置。
【請求項２４】
請求項２２に記載の装置において、前記少なくとも１のマニホルドロッドが、生体吸収性材料からなることを特徴とする装置。
【請求項２５】
請求項２２に記載の装置において、前記少なくとも１のマニホルドロッドが、組織の成長を実現する足場材料を含むことを特徴とする装置。
【請求項２６】
請求項１に記載の装置において、前記神経導管の壁が、開口を形成する前記神経導管の長さに沿ったスライスを含み、これにより前記神経導管が、前記組織部位周辺に移植可能であり、１以上の閉塞要素で密閉可能であることを特徴とする装置。
【請求項２７】
請求項１に記載の装置において、前記神経導管が、生体不活性材料からなることを特徴とする装置。
【請求項２８】
請求項１に記載の装置において、前記神経導管が、生体吸収性材料からなることを特徴とする装置。
【請求項２９】
請求項２８に記載の装置において、前記神経導管が、コラーゲンからなることを特徴とする装置。
【請求項３０】
請求項１に記載の装置において、前記神経導管が、細孔を含むことを特徴とする装置。
【請求項３１】
請求項３０に記載の装置において、前記神経導管の壁が、前記神経導管を囲む組織からの細胞が、前記内腔空間に入らないよう十分小さい細孔を含むことを特徴とする装置。
【請求項３２】
請求項３１に記載の装置において、前記細孔が、約５μｍ乃至５０μｍの内径を有することを特徴とする装置。
【請求項３３】
神経の組織で欠陥部に減圧をかけるシステムであって、当該システムが、
前記減圧を供給する圧力源と、
組織部位と内腔壁との間の内腔空間内に流体を含ませるために前記組織部位を囲む前記内腔壁を含む壁を有するほぼ管状の形状を有する神経導管と、
前記圧力源と流体連通し、前記組織部位の近くの前記内腔空間内に配置され、前記減圧を前記欠陥部に分配するマニホルドとを含むシステム。
【請求項３４】
請求項３３に記載のシステムがさらに、前記内腔空間に流体を供給するために前記マニホルドと流体連通している流体源を含むことを特徴とするシステム。
【請求項３５】
請求項３３に記載のシステムにおいて、前記欠陥部が、切断された、部分的に切断された、挟まれた、または変質した神経であることを特徴とするシステム。
【請求項３６】
請求項３３に記載のシステムにおいて、前記マニホルドが、前記組織部位に対する神経の遠位側に配置されることを特徴とするシステム。
【請求項３７】
請求項３３に記載のシステムにおいて、前記マニホルドが、減圧を前記組織部位に対する前記神経の遠位側に提供することを特徴とするシステム。
【請求項３８】
請求項３３に記載のシステムにおいて、前記マニホルドが、生体不活性材料からなることを特徴とするシステム。
【請求項３９】
請求項３３に記載のシステムにおいて、前記マニホルドが、生体吸収性材料からなることを特徴とするシステム。
【請求項４０】
請求項３３に記載のシステムにおいて、前記マニホルドの一部が、組織の成長を実現する足場材料を含むことを特徴とするシステム。
【請求項４１】
請求項４０に記載のシステムにおいて、前記足場材料が、発泡体またはゲル材料から形成されることを特徴とするシステム。
【請求項４２】
請求項４０に記載のシステムにおいて、前記足場材料が、フィブリンまたはコラーゲンから選択される生物学的材料であることを特徴とするシステム。
【請求項４３】
請求項３３に記載のシステムにおいて、前記マニホルドが、前記欠陥部と流体連通している経路を形成する内腔面を有する概ね管状の形状であることを特徴とするシステム。
【請求項４４】
請求項４３に記載のシステムにおいて、前記欠陥部が、前記マニホルドの経路を通り延在する挟まれた神経であることを特徴とするシステム。
【請求項４５】
請求項３３に記載のシステムにおいて、前記欠陥部が切断された神経であり、前記マニホルドが、前記切断された神経の各端部と流体連通しており前記マニホルドを通り概ね軸方向に延在する複数の経路を有するほぼ円筒の形状であることを特徴とするシステム。
【請求項４６】
請求項４０に記載のシステムにおいて、前記足場材料が、生物活性剤であることを特徴とするシステム。
【請求項４７】
請求項４６に記載のシステムにおいて、前記生物活性剤が、抗生物質、抗体および成長因子の少なくとも１であることを特徴とするシステム。
【請求項４８】
請求項４７に記載のシステムにおいて、前記生物活性剤が、成長ホルモン（ＧＨ）、骨形成タンパク質（ＢＭＰ）、トランスホーミング増殖因子−α（ＴＧＦ−α）、ＴＧＦ−β、繊維芽細胞成長因子（ＦＧＦ）、顆粒粒コロニー刺激因子（Ｇ−ＣＦＳ)、顆粒粒／マクロファージコロニー刺激因子（ＧＭ−ＣＦＳ）、上皮増殖因子（ＥＧＦ）、血小板由来成長因子（ＰＤＧＦ）、インスリン様成長因子（ＩＧＦ）、血管内皮成長因子（ＶＥＧＦ）、幹細胞増殖因子／散乱係数（ＨＧＦ／ＳＦ）、インターロイキン、腫瘍壊死因子−α（ＴＮＦ−α）または神経成長因子（ＮＧＦ）であることを特徴とするシステム。
【請求項４９】
請求項３３に記載のシステムにおいて、前記神経導管の壁が、開口を形成する前記神経導管の長さに沿ったスライスを含み、これにより前記神経導管は、前記組織部位周辺に移植可能であり、１以上の閉塞要素で密閉可能であることを特徴とするシステム。
【請求項５０】
請求項３３に記載のシステムにおいて、前記神経導管が、生物不活性材料からなることを特徴とするシステム。
【請求項５１】
請求項３３に記載のシステムにおいて、前記神経導管が、生体吸収性材料からなることを特徴とするシステム。
【請求項５２】
請求項５１に記載のシステムにおいて、前記神経導管が、コラーゲンからなることを特徴とするシステム。
【請求項５３】
請求項３３に記載のシステムにおいて、前記神経導管が、細孔を含むことを特徴とするシステム。
【請求項５４】
請求項５３に記載のシステムにおいて、前記神経導管の壁が、前記神経導管を囲む組織からの細胞が、前記内腔空間に入らないよう十分小さい細孔を含むことを特徴とする装置。
【請求項５５】
請求項５４に記載のシステムにおいて、前記細孔が、約５μｍ乃至５０μｍの内径を有することを特徴とするシステム。